(57)【特許請求の範囲】
【請求項１】
原稿が支持される支持台を有する筐体と、
前記支持台の上面を開放する開放位置と、前記支持台の上面を閉じる閉塞位置との間で、回転軸を中心として回転可能に支持された開閉部材と、
前記開閉部材に設けられ、原稿を読み取る読取り部材と、
前記筐体に設けられ、前記読取り部材が読み取った情報を処理する処理部と、
前記読取り部材と前記処理部とを電気的に接続する接続部材と、
前記開閉部材に一端部が回転可能に支持され、且つ、内部に前記接続部材を収容する保護部材であって、前記開閉部材から吊り下げられた状態で且つ他端部が前記筐体に対して非拘束な状態で支持された前記保護部材と、
を備え、
前記接続部材が収容される前記保護部材の空間が、一端部に比べて他端部の方が、前記支持台に対して反対側に広く形成されていることを特徴とする画像読取り装置。
【請求項２】
原稿が支持される支持台を有する筐体と、
前記支持台の上面を開放する開放位置と、前記支持台の上面を閉じる閉塞位置との間で、回転軸を中心として回転可能に支持された開閉部材と、
前記開閉部材に設けられ、原稿を読み取る読取り部材と、
前記筐体に設けられ、前記読取り部材が読み取った情報を処理する処理部と、
前記読取り部材と前記処理部とを電気的に接続する接続部材と、
前記開閉部材に一端部が回転可能に支持され、且つ、内部に前記接続部材を収容する保護部材であって、前記開閉部材から吊り下げられた状態で且つ他端部が前記筐体に対して上下方向および回転方向で可動するように非拘束な状態で支持された前記保護部材と、
を備えたことを特徴とする画像読取り装置。
【請求項３】
前記開閉部材の回転軸とは異なる位置に配置された前記保護部材、
を備えたことを特徴とする請求項２に記載の画像読取り装置。
【請求項４】
前記保護部材の前記開閉部材に対する回転軸が、前記開閉部材の回転軸と同軸上に配置されていないことを特徴とする請求項２に記載の画像読取り装置。
【請求項５】
一端側から他端側に向けて１箇所以上の溝のある筒状に形成された前記保護部材、
を備えたことを特徴とする請求項１ないし４のいずれかに記載の画像読取り装置。
【請求項６】
前記支持台に対して反対側の面に前記溝が形成された前記保護部材、
を備えたことを特徴とする請求項５に記載の画像読取り装置。
【請求項７】
前記筐体に対して昇降可能に支持された前記回転軸を有する前記開閉部材、
を備えたことを特徴とする請求項１ないし６のいずれかに記載の画像読取り装置。
【請求項８】
原稿の画像を読み取る請求項１ないし７のいずれかに記載の画像読取り装置と、
前記画像読取り装置に読み取られた画像に基づいて、媒体に画像を記録する画像の記録部と、
を備えたことを特徴とする画像形成装置。
【発明の詳細な説明】
【技術分野】
【０００１】
本発明は、画像読取り装置および画像形成装置に関する。
【背景技術】
【０００２】
従来から、画像の記録された媒体、いわゆる、原稿を読み取る画像読取り装置について、以下の特許文献１に記載の技術が知られている。
【０００３】
特許文献１としての特開２０１１−７７８７４号公報には、原稿の載置部（１１）の上面を開閉するカバー部（１３）にＡＤＦ（３５）が設けられた構成において、カバー部（１３）の第２イメージセンサ（３１Ｂ）と制御部（２１）とを、ＦＦＣ（６７）で接続する構成が記載されている。特許文献１に記載の構成では、カバー部（１３）は載置部（１１）に対して、回動軸部（５３，５４）を中心に回転可能に支持されている。そして、ＦＦＣ（６７）を保護するために、載置部（１１）とカバー部（１３）の間に設けられたホルダ部材（６１）は、回動軸部（５３，５４）と同軸上に配置された回動軸部（６３）を中心として回動可能に構成され、カバー部（１３）が載置部（１１）に対して回動する際に、一体的に回動する。また、特許文献１では、各回動軸部（５３，５４，６３）は、載置部（１１）に対して、上下動可能な連結部材（５１，５２）やホルダ部材（６１）に設けられている。
【先行技術文献】
【特許文献】
【０００４】
【特許文献１】特開２０１１−７７８７４号公報（「００５８」〜「００６２」、図５〜図８）
【発明の概要】
【発明が解決しようとする課題】
【０００５】
特許文献１のホルダ部材は、回動軸部と同軸状に配置する必要があるが、同じ軸を共有している訳でない部材を、同軸上に配置するのは、実際は難しく、部品のばらつき等で、軸がずれる可能性が考えられる。ここで、軸がずれると、開閉部材を開閉する際にそのずれた軸分の負荷がかかってしまうので、開閉時にかかる負荷が大きくなることや、開閉時に一方が破損してしまう事等が懸念される。
本発明は、開閉部材の開閉不良が発生する可能性を抑えることを技術的課題とする。
【課題を解決するための手段】
【０００６】
前記技術的課題を解決するために、請求項１に記載の発明の画像読取り装置は、
原稿が支持される支持台を有する筐体と、
前記支持台の上面を開放する開放位置と、前記支持台の上面を閉じる閉塞位置との間で、回転軸を中心として回転可能に支持された開閉部材と、
前記開閉部材に設けられ、原稿を読み取る読取り部材と、
前記筐体に設けられ、前記読取り部材が読み取った情報を処理する処理部と、
前記読取り部材と前記処理部とを電気的に接続する接続部材と、
前記開閉部材に一端部が回転可能に支持され、且つ、内部に前記接続部材を収容する保護部材であって、前記開閉部材から吊り下げられた状態で且つ他端部が前記筐体に対して非拘束な状態で支持された前記保護部材と、
を備え、
前記接続部材が収容される前記保護部材の空間が、一端部に比べて他端部の方が、前記支持台に対して反対側に広く形成されていることを特徴とする。
前記技術的課題を解決するために、請求項２に記載の発明の画像読取り装置は、
原稿が支持される支持台を有する筐体と、
前記支持台の上面を開放する開放位置と、前記支持台の上面を閉じる閉塞位置との間で、回転軸を中心として回転可能に支持された開閉部材と、
前記開閉部材に設けられ、原稿を読み取る読取り部材と、
前記筐体に設けられ、前記読取り部材が読み取った情報を処理する処理部と、
前記読取り部材と前記処理部とを電気的に接続する接続部材と、
前記開閉部材に一端部が回転可能に支持され、且つ、内部に前記接続部材を収容する保護部材であって、前記開閉部材から吊り下げられた状態で且つ他端部が前記筐体に対して上下方向および回転方向で可動するように非拘束な状態で支持された前記保護部材と、
を備えたことを特徴とする。
【０００７】
請求項３に記載の発明は、請求項２に記載の画像読取り装置において、
前記開閉部材の回転軸とは異なる位置に配置された前記保護部材、
を備えたことを特徴とする。
請求項４に記載の発明は、請求項２に記載の画像読取り装置において、
前記保護部材の前記開閉部材に対する回転軸が、前記開閉部材の回転軸と同軸上に配置されていないことを特徴とする。
請求項５に記載の発明は、請求項１ないし４のいずれかに記載の画像読取り装置において、
一端側から他端側に向けて１箇所以上の溝のある筒状に形成された前記保護部材、
を備えたことを特徴とする。
【０００８】
請求項６に記載の発明は、請求項５に記載の画像読取り装置において、
前記支持台に対して反対側の面に前記溝が形成された前記保護部材、
を備えたことを特徴とする。
【００１０】
請求項７に記載の発明は、請求項１ないし６のいずれかに記載の画像読取り装置において、
前記筐体に対して昇降可能に支持された前記回転軸を有する前記開閉部材、
を備えたことを特徴とする。
【００１１】
前記技術的課題を解決するために、請求項８に記載の発明の画像形成装置は、
原稿の画像を読み取る請求項１ないし７のいずれかに記載の画像読取り装置と、
前記画像読取り装置に読み取られた画像に基づいて、媒体に画像を記録する画像の記録部と、
を備えたことを特徴とする。
【発明の効果】
【００１２】
請求項１，８に記載の発明によれば、開閉部材から吊り下げられた保護部材を有しない場合に比べて、開閉部材の開閉不良が発生する可能性を抑えることができる。また、請求項１に記載の発明によれば、保護部材の空間が、支持台に対して反対側に広く形成されていない場合に比べて、接続部材の損耗を低減できる。
請求項２に記載の発明によれば、開閉部材から吊り下げられた状態で且つ他端部が前記筐体に対して上下方向および回転方向で可動するように非拘束な状態で支持されない場合に比べて、開閉部材の開閉不良が発生する可能性を抑えることができる。
請求項３に記載の発明によれば、保護部材が開閉部材の回転軸の位置に配置される場合に比べて、設計の自由度が向上すると共に、製造費用の上昇を抑制できる。
請求項４に記載の発明によれば、保護部材の回転軸が回転部材の回転軸と同軸上に配置される場合に比べて、設計の自由度が向上すると共に、製造費用の上昇を抑制できる。
請求項５に記載の発明によれば、溝部を介して、保護部材の内部に接続部材を出し入れできる。
請求項６に記載の発明によれば、支持台側に溝が形成された場合と比較して、破損しにくくなると共に、溝が利用者の目に触れにくく、見た目も良くなる。
請求項７に記載の発明によれば、辞書や辞典のような厚い原稿を開閉部材と筐体との間で挟むことができる。
【図面の簡単な説明】
【００１３】
【図１】図１は実施例１の画像形成装置の全体説明図である。
【図２】図２は実施例１の可視像形成装置の拡大説明図である。
【図３】図３は実施例１の画像読取り装置の全体説明図である。
【図４】図４は実施例１の画像読取り装置の斜視図である。
【図５】図５は図４のＶ−Ｖ線断面図であり、図５Ａは原稿搬送装置が閉塞位置に移動した状態の説明図、図５Ｂは原稿搬送装置が開放位置に移動した状態の説明図、図５Ｃは原稿搬送装置が開放位置から上方に移動した状態の説明図である。
【図６】図６は実施例１の保護部材の斜視図であり、保護部材を斜め後方から見た図である。
【図７】図７は実施例１の保護部材に形成された溝部の作用説明図であり、図７Ａは溝部を中央に形成した構成にＦＦＣの一方の側を挿入した状態の説明図、図７Ｂは図７Ａの状態からＦＦＣの他方の側を挿入した状態の説明図、図７Ｃは溝部を端部に形成した構成にＦＦＣの一方の側を挿入した状態の説明図、図７Ｄは図７Ｃの状態からＦＦＣの他方の側を挿入した状態の説明図である。
【図８】図８は従来の構成におけるスキャナ本体と原稿搬送装置との間の配線の接続方法の説明図である。
【発明を実施するための形態】
【００１４】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１５】
図１は実施例１の画像形成装置の全体説明図である。
図２は実施例１の可視像形成装置の拡大説明図である。
図１において、画像形成装置の一例としての複写機Ｕは、操作部ＵＩ、画像読取り装置の一例としてのスキャナ部Ｕ１、媒体供給装置の一例としてのフィーダ部Ｕ２、画像記録装置の一例としての作像部Ｕ３、および媒体処理装置Ｕ４を有している。
【００１６】
（操作部ＵＩの説明）
操作部ＵＩは、複写開始や複写枚数の設定などに用いられる入力ボタンＵＩａを有する。また、前記操作部ＵＩは、前記入力ボタンＵＩａにより入力された内容や、複写機Ｕの状態が表示される表示部ＵＩｂを有する。
【００１７】
（スキャナ部Ｕ１の説明）
図３は実施例１の画像読取り装置の全体説明図である。
図１、図３において、スキャナ部Ｕ１は、画像読取り装置の本体部の一例として、上端に透明な原稿台ＰＧを有するスキャナ本体Ｕ１ｂを有する。スキャナ本体Ｕ１ｂの上面には、原稿搬送装置Ｕ１ａが配置されている。原稿搬送装置Ｕ１ａは、原稿台ＰＧを開閉可能に支持されている。
前記原稿搬送装置Ｕ１ａは、原稿の積載部の一例として、複写しようとする複数の原稿Ｇｉが重ねて収容される原稿給紙トレイＵ１ａ１を有する。原稿給紙トレイＵ１ａ１の左方には、原稿搬送部Ｕ１ａ２が設けられている。原稿搬送部Ｕ１ａ２は、原稿給紙トレイＵ１ａ１の原稿Ｇｉを前記原稿台ＰＧ上に搬送する。原稿給紙トレイＵ１ａ１の下方には、原稿排出部の一例としての原稿排紙トレイＵ１ａ３が配置されている。原稿排紙トレイＵ１ａ３には、原稿台ＰＧを通過した原稿Ｇｉが原稿搬送部Ｕ１ａ２から排出される。
【００１８】
図３において、原稿台ＰＧの左端部には、第１の読取面の一例としての原稿の通過する読取窓ＰＧ１が配置されている。読取窓ＰＧ１は、原稿搬送装置Ｕ１ａの搬送路上に予め設定された第１面の読取位置Ｐ１に対応して形成されている。読取窓ＰＧ１は、原稿搬送装置Ｕ１ａにより搬送される原稿Ｇｉが通過する。読取窓ＰＧ１の右方には、利用者が設置した原稿Ｇｉが支持されるプラテンガラスＰＧ２が配置されている。前記読取窓ＰＧ１と、プラテンガラスＰＧ２との間には、案内部の一例としての原稿ガイドＰＧ３が支持されている。原稿ガイドＰＧ３は、読取窓ＰＧ１を通過した原稿Ｇｉを原稿搬送装置Ｕ１ａ内に案内する。
【００１９】
実施例１のスキャナ部Ｕ１には、原稿台ＰＧの下方に、読取部の一例としての読取ユニットＵ１ｃが配置されている。実施例１の読取ユニットＵ１ｃは、原稿台ＰＧの下面に沿って、副走査方向の一例としての左右方向に移動可能に支持されている。読取ユニットＵ１ｃは、通常時は、図１の実線で示す初期位置に停止している。なお、読取ユニットＵ１ｃは、画像処理部ＧＳに電気的に接続されている。
【００２０】
前記画像処理部ＧＳは、読取ユニットＵ１ｃから入力される赤Ｒ、緑Ｇ、青Ｂの電気信号を黒Ｋ、イエローＹ、マゼンタＭ、シアンＣの画像情報に変換して一時的に記憶し、前記画像情報を、予め設定された時期に、潜像形成用の画像情報として、作像部Ｕ３の潜像形成装置の駆動回路Ｄに出力する。
なお、原稿画像が単色画像、いわゆる、モノクロの場合は、黒Ｋのみの画像情報が潜像形成装置の駆動回路Ｄに入力される。
【００２１】
（フィーダ部Ｕ２の説明）
図１において、フィーダ部Ｕ２は、媒体の収容容器の一例としての給紙トレイＴＲ１，ＴＲ２，ＴＲ３，ＴＲ４を有している。また、フィーダ部Ｕ２は、前記各給紙トレイＴＲ１〜ＴＲ４に収容された媒体の一例としての記録用紙Ｓを取り出して、作像部Ｕ３に搬送する媒体供給路ＳＨ１等を有している。
【００２２】
（作像部Ｕ３及び媒体処理装置Ｕ４の説明）
図１、図２において、作像部Ｕ３では、潜像形成装置の駆動回路Ｄが、スキャナ部Ｕ１から入力された画像情報などに基づいて、駆動信号を各色の潜像形成装置ＲＯＳｙ〜ＲＯＳｋに出力する。各潜像形成装置ＲＯＳｙ〜ＲＯＳｋの下方には、像保持体Ｐｙ〜Ｐｋや、帯電器ＣＲｙ〜ＣＲｋなどが配置されている。像保持体Ｐｙ〜Ｐｋの表面には潜像形成装置ＲＯＳｙ〜ＲＯＳｋにより静電潜像が形成され、現像装置Ｇｙ〜Ｇｋにより可視像の一例としてのトナー像に現像される。なお、現像装置Ｇｙ〜Ｇｋには、現像剤補給装置Ｕ３ｂに装着されたトナーカートリッジＫｙ〜Ｋｋから現像剤が補給される。像保持体Ｐｙ〜Ｐｋ表面上のトナー像は、１次転写器Ｔ１ｙ〜Ｔ１ｋにより、中間転写体の一例としての中間転写ベルトＢ上に１次転写領域Ｑ３ｙ〜Ｑ３ｋで転写される。１次転写後の像保持体Ｐｙ〜Ｐｋは、清掃器ＣＬｙ〜ＣＬｋにより清掃される。
【００２３】
前記潜像形成装置ＲＯＳｙ〜ＲＯＳｋの下方には、中間転写装置ＢＭが支持されている。中間転写装置ＢＭは、中間転写部材の一例としての中間転写ベルトＢと、中間転写部材の支持部材Ｒｄ＋Ｒｔ＋Ｒｗ＋Ｒｆ＋Ｔ２ａとを有する。中間転写ベルトＢは、矢印Ｙａ方向に回転移動可能に支持されている。対向部材Ｔ２ａの下方には、２次転写ユニットＵｔが配置されている。前記２次転写ユニットＵｔは、２次転写部材Ｔ２ｂを有する。２次転写部材Ｔ２ｂは、中間転写ベルトＢと接触して２次転写領域Ｑ４を形成する。また、対向部材Ｔ２ａには、給電部材Ｔ２ｃが接触している。前記給電部材Ｔ２ｃには、トナーの帯電極性と同極性の２次転写電圧が印加される。
【００２４】
中間転写装置ＢＭの下方には、フィーダ部Ｕ２からの記録用紙Ｓが搬送される搬送路ＳＨ２が配置されている。搬送路ＳＨ２では、搬送部材の一例としての搬送ロールＲａにより、記録用紙Ｓが、搬送時期の調節部材の一例としてのレジロールＲｒに搬送される。レジロールＲｒは、中間転写ベルトＢ上のトナー像が２次転写領域Ｑ４に搬送される時期に合わせて、記録用紙Ｓを２次転写領域Ｑ４に搬送する。
中間転写ベルトＢ上のトナー像は、２次転写領域Ｑ４を通過する際に、２次転写器Ｔ２により記録用紙Ｓに転写される。なお、２次転写後の中間転写ベルトＢは、中間転写体の清掃器ＣＬＢにより清掃される。トナー像が転写された記録用紙Ｓは、搬送部材の一例としての媒体搬送ベルトＢＨに送られ、定着装置Ｆに搬送される。定着装置Ｆでは、トナー像が転写された記録用紙Ｓが、加熱部材Ｆｈと加圧部材Ｆｐとが接触する領域である定着領域Ｑ５を通過して定着される。
【００２５】
トナー像が定着された記録用紙Ｓは、排出される場合には、搬送路ＳＨ３から媒体処理装置Ｕ４の搬送路ＳＨ５に搬送される。媒体処理装置Ｕ４には、反りの補正部材Ｕ４ａが配置されており、記録用紙Ｓの反り、いわゆる、カールが補正され、排出部材Ｒｈにより排出トレイＴＨ１に排出される。また、２面目に画像が記録される場合には、トナー像が定着された記録用紙Ｓは、搬送路ＳＨ３から、反転路ＳＨ４、循環路ＳＨ６に搬送され、表裏が逆転されて、搬送路ＳＨ２を通って２次転写領域Ｑ４に再送される。なお、搬送先の切り替えは、切り替え部材ＧＴ１〜ＧＴ３で行なわれる。前記符号ＳＨ１〜ＳＨ７で示された要素により用紙搬送路ＳＨが構成されている。また、前記符号ＳＨ，Ｒａ，Ｒｒ，Ｒｈ，ＳＧｒ，ＳＧ１，ＳＧ２，ＢＨ、ＧＴ１〜ＧＴ３で示された要素により、実施例１の用紙搬送装置ＳＵが構成されている。
【００２６】
（原稿搬送装置の説明）
図３において、原稿の収容部の一例としての原稿給紙トレイＵ１ａ１は、積載部材の一例としての給紙トレイ本体１を有する。給紙トレイ本体１は、右斜め上方に延びる板状に形成されている。
【００２７】
原稿給紙トレイＵ１ａ１の左端部には、媒体の揃え部材の一例としてのセットゲート６が配置されている。セットゲート６は、回転可能に支持されている。セットゲート６は、原稿Ｇｉの搬送前は吊り下げられた状態で保持されており、原稿Ｇｉの搬送方向の前端を突き当てて揃えることが可能である。そして、原稿Ｇｉの搬送が開始されると、セットゲート６の保持が解除されて、下流側に回転可能となり、原稿Ｇｉの搬送を妨げない。
【００２８】
前記セットゲート６の上方かつ、原稿の搬送方向の上流側には、原稿の取り出し部材の一例としてのナジャーロール１１が配置されている。実施例１のナジャーロール１１は、昇降可能に構成されている。
セットゲート６の下流側には、原稿の搬送部材の一例としてのフィードロール１２が配置されている。フィードロール１２の下方には、フィードロール１２に対向して、原稿の分離部材の一例としてのリタードロール１３が配置されている。
【００２９】
フィードロール１２の下流側には、原稿の搬送部材の一例であって、傾斜補正部材の一例としてのテイクアウェイロール１８が配置されている。
テイクアウェイロール１８の下流側には、原稿の搬送部材の一例としてのプレレジロール２２が配置されている。
プレレジロール２２の下流側には、原稿の搬送部材の一例としての原稿レジロール２３が配置されている。原稿レジロール２３は、原稿Ｇｉを第１面の読取位置Ｐ１に向けて搬送する時期を調整する。
【００３０】
原稿レジロール２３の下流側には、第１面の読取位置Ｐ１よりも下流側に、原稿の搬送部材の一例としてのアウトロール２４が配置されている。
アウトロール２４の下流側には、第２面の読取位置Ｐ２が設定されている。第２面の読取位置Ｐ２には、第２の読取り部材の一例としての読取りセンサ２６が配置されている。実施例１の読取りセンサ２６は、ＣＩＳ：Contact Image Sensorにより構成されている。
前記読取りセンサ２６の下流側には、読取の補助部材の一例としての読取ロール２７が配置されている。読取ロール２７の下流側には、原稿Ｇｉを、原稿排紙トレイＵ１ａ３に排出する排出ロール２８が配置されている。
【００３１】
（接続部材および保護部材の説明）
図４は実施例１の画像読取り装置の斜視図である。
図４において、開閉部材の一例としての原稿搬送装置Ｕ１ａは、筐体の一例としてのスキャナ本体Ｕ１ｂに対して、左右一対の回転軸３１を中心として開閉可能に支持されている。実施例１では回転軸３１は、辞書や辞典等の厚い書物の読取りを行うことに対応して、上下方向に移動可能に支持されている。なお、回転軸３１を上下方向に移動可能に支持する構成は、特許文献１に記載されており、従来公知であるため、詳細な説明は省略する。
スキャナ本体Ｕ１ｂと原稿搬送装置Ｕ１ａとの間には、配線の一例としてのケーブル３２が延びている。ケーブル３２は、各ロール１１〜２８のモータへの給電や、モータへの制御信号の通信に使用される。
【００３２】
図５は図４のＶ−Ｖ線断面図であり、図５Ａは原稿搬送装置が閉塞位置に移動した状態の説明図、図５Ｂは原稿搬送装置が開放位置に移動した状態の説明図、図５Ｃは原稿搬送装置が開放位置から上方に移動した状態の説明図である。
図４、図５において、スキャナ本体Ｕ１ｂの左後部には、収容部の一例としての凹部３３が形成されている。凹部３３には、保護部材の一例としてのＦＦＣホルダ３４が収容される。
図５において、ＦＦＣホルダ３４は、上下方向に延びる内部３４ａが中空の略角筒状に形成されている。ＦＦＣホルダ３４の一端の一例としての上端には、回転中心３４ｂが左右一対形成されている。回転中心３４ｂは、原稿搬送装置Ｕ１ａの支持部３５に回転可能に支持される。なお、実施例１では、回転中心３４ｂは、回転軸３１とは同軸延長上に配置されていない。
【００３３】
したがって、実施例１のＦＦＣホルダ３４は、原稿搬送装置Ｕ１ａに対して吊り下げられた状態で支持されている。また、ＦＦＣホルダ３４に対して、凹部３３が十分大きく形成されており、ＦＦＣホルダ３４と凹部３３との間には、前後左右上下に隙間が空いている。よって、ＦＦＣホルダ３４は、凹部３３に収容された状態で、凹部３３に対して浮遊している状態となっており、凹部３３に対して非拘束な状態で収容されている。
【００３４】
図６は実施例１の保護部材の斜視図であり、保護部材を斜め後方から見た図である。
図６において、ＦＦＣホルダ３４の後面３４ｃには、溝部の一例としてのスリット３４ｄが形成されている。実施例１のスリット３４ｄは、上端から下端まで形成されており、内部空間３４ａと外部とを接続する。また、実施例１のスリット３４ｄは、左右方向の中央部よりも左側に偏った位置に形成されている。
また、実施例１のＦＦＣホルダ３４では、後面３４ｃの下部３４ｅが後方に張り出している。
【００３５】
図５において、ＦＦＣホルダ３４の内部３４ａには、接続部材の一例としてのフレキシブルフラットケーブル３６が収容されている。なお、以下、フレキシブルフラットケーブル：Flexible Flat Cableは、「ＦＦＣ」と略記する。ＦＦＣ３６は、読取りセンサ２６と処理部の一例としての画像処理部ＧＳとを電気的に接続する。したがって、ＦＦＣ３６は、読取りセンサ２６で読み取った画像情報を画像処理部ＧＳに送信する。
【００３６】
実施例１のＦＦＣ３６は、画像処理部ＧＳ側が凹部３３の後方の導入部３３ａから凹部３３の内部に導入される。凹部３３の内部に導入されたＦＦＣ３６は、下方に延び凹部３３の下部で上方に湾曲して、ＦＦＣホルダ３４に下方から導入される。ＦＦＣ３６は、ＦＦＣホルダ３４の内部を上方に貫通し、支持部３５に形成された導入口３５ａを通じて原稿搬送装置Ｕ１ａの内部に配線される。
【００３７】
（実施例１の画像読取り装置の機能）
前記構成を備えた実施例１のスキャナ部Ｕ１では、原稿搬送装置Ｕ１ａが使用される場合には、読取ユニットＵ１ｃが、左端の自動読取り位置に移動する。そして、読取窓ＰＧ１を通過する原稿Ｇｉを読取ユニットＵ１ｃが読み取る。なお、原稿Ｇｉの両面が読み取られる場合は、読取ユニットＵ１ｃと読取りセンサ２６とで両面を読み取る。
プラテンガラスＰＧ２の上面に置かれた原稿Ｇｉを読み取る場合は、読取ユニットＵ１ｃが、プラテンガラスＰＧ２の左端から右端まで移動、すなわち、走査する。そして、走査中の読取ユニットＵ１ｃがプラテンガラスＰＧ２に置かれた原稿Ｇｉを読み取る。
【００３８】
図５Ａ〜図５Ｃにおいて、手動の読取りガラス３の上に原稿Ｇｉを置いたり、読み取り後に原稿Ｇｉを取り除いたり、ガラス２，３の清掃等で、原稿搬送装置Ｕ１ａが開閉されると、原稿搬送装置Ｕ１ａの移動に連動してＦＦＣホルダ３４が移動する。この時、ＦＦＣホルダ３４は、凹部３３に対して、上下動する。そして、ＦＦＣホルダ３４の内部に収容されたＦＦＣ３６も、移動する。また、辞書等の厚い原稿Ｇｉを読み取る際に、回転軸３１が上下動しても、図５Ｃに示すように、ＦＦＣホルダ３４は、連動して上下動する。
ここで、ＦＦＣホルダ３４が設けられていない構成では、原稿搬送装置Ｕ１ａが開放された時に、ＦＦＣ３６が、原稿搬送装置Ｕ１ａとスキャナ本体Ｕ１ｂとの間に跨った状態で露出する。この状態から、原稿搬送装置Ｕ１ａを閉じると、ＦＦＣ３６の露出した部分が、原稿搬送装置Ｕ１ａとスキャナ本体Ｕ１ｂの間に挟まれて、ＦＦＣ３６が折れ曲がったり、破損する恐れがある。よって、ＦＦＣホルダ３４は、ＦＦＣ３６を保護している。
【００３９】
ここで、特許文献１に記載の技術のように、カバー部と載置部との間の回動軸部と、ホルダ部材の回動軸部とを同軸に配置する構成では、３つの軸の位置を合わせないとカバー部が回転できなくなる。よって、設計の自由度が低くなるとともに、部品の製造誤差や組み立て誤差が厳しくなり、製造費用が上昇する問題がある。特に、特許文献１に記載の技術のように、辞書等の厚い原稿の読取りに対応して、回動軸部を有する連結部材およびホルダ部材が上下動する構成では、３つの部材が一体的に上下動する必要があり、いわゆる、かじりが発生して、カバー部の開閉不良や昇降不良が発生する恐れがある。
【００４０】
これらに対して、実施例１では、ＦＦＣホルダ３４は、原稿搬送装置Ｕ１ａに吊り下げられて浮遊した状態であり、下端がスキャナ本体Ｕ１ｂに対して、非拘束の状態である。よって、ＦＦＣホルダ３４の回転中心３４ｂは、原稿搬送装置Ｕ１ａの回転軸３１と一致させる必要がない。よって、特許文献１に記載の構成に比べて、実施例１では、設計の自由度が向上すると共に、部品の製造誤差等も緩やかになる。よって、製造費用の上昇が抑えられる。
また、実施例１では、ＦＦＣホルダ３４が凹部３３に対して、非拘束な状態、すなわち、十分な隙間を開けて収容されており、原稿搬送装置Ｕ１ａが、図５Ｂ、図５Ｃに示すように上下動しても、少なくともＦＦＣホルダ３４と凹部３３との間でかじりが発生しない。よって、特許文献１に記載の構成に比べて、原稿搬送装置Ｕ１ａの開閉不良や昇降不良の発生が低減される。
【００４１】
また、特許文献１に記載の構成では、３つの回動軸部として同一の構成を採用している。よって、ＦＦＣのホルダ部材の回動可能且つ昇降可能とする構成として、ＦＦＣを保護する必要以上の部品強度、部品点数が必要となり、全体として大型化する。これに対して、実施例１では、角筒状のＦＦＣホルダ３４が吊り下がるだけであり、全体として小型化可能である。
さらに、実施例１では、ＦＦＣホルダ３４の下部３４ｅが後方、すなわち、ＦＦＣ３６の導入口３６ａ側に膨らんでいる。下部３４ｅが膨らんでいない場合、原稿搬送装置Ｕ１ａの回転時や昇降時に、ＦＦＣホルダ３４の下端の角にＦＦＣ３６が接触して、ＦＦＣ３６が折れたり、摩耗したりする恐れがある。これに対して、実施例１では、下部３４ｅが後方に膨らんでおり、ＦＦＣ３６の損耗が低減される。
【００４２】
図７は実施例１の保護部材に形成された溝部の作用説明図であり、図７Ａは溝部を中央に形成した構成にＦＦＣの一方の側を挿入した状態の説明図、図７Ｂは図７Ａの状態からＦＦＣの他方の側を挿入した状態の説明図、図７Ｃは溝部を端部に形成した構成にＦＦＣの一方の側を挿入した状態の説明図、図７Ｄは図７Ｃの状態からＦＦＣの他方の側を挿入した状態の説明図である。
また、実施例１では、ＦＦＣホルダ３４にスリット３４ｄが形成されている。したがって、ＦＦＣホルダ３４に対してＦＦＣ３６を着脱する場合に、スリット３４ｄを通じて、ＦＦＣ３６を内部空間３４ａに対して出し入れ可能である。特に、実施例１では、スリット３４ｄが左右方向の中央よりもずれた位置に形成されている。図７Ａ、図７Ｂに示すように、スリット３４ｄが左右方向の中央に形成されていると、ＦＦＣ３６を出し入れする際に、幅方向の右端を入れてから、左端を入れる際に、ＦＦＣ３６が曲がりやすく、出し入れしづらい。これに対して、実施例１のように中央よりもずれた位置にスリット３４ｄが形成された場合、図７Ｃ、図７Ｄに示すように、ＦＦＣ３６の曲がりが小さい状態で出し入れが可能である。よって、組立性が向上する。
【００４３】
また、実施例１では、ＦＦＣホルダ３４のスリット３４ｄは、原稿台ＰＧに対して反対側である後面に形成されている。スリット３４ｄが前側に形成された場合は、原稿搬送装置Ｕ１ａが開閉される場合に、ＦＦＣホルダ３４の前側の面が、凹部３３に突き当たる可能性があり、スリット３４ｄから破損する可能性があるが、後面にスリット３４ｄが形成された実施例１では、破損しにくくなる。
また、前側にスリット３４ｄを形成した場合に比べて、実施例１では、原稿搬送装置Ｕ１ａを開けた際に、スリット３４ｄが利用者の目に触れにくく、見た目が良くなる。
【００４４】
図８は従来の構成におけるスキャナ本体と原稿搬送装置との間の配線の接続方法の説明図である。
さらに、従来の構成では、図８に示すように、スキャナ本体０１と原稿搬送装置０２との間を電気的に接続するケーブル０３が、スキャナ本体０１の後面０１ａと原稿搬送装置０２の後面０２ａとの間を後側で跨がるように接続している。よって、従来の構成では、ケーブル０３の分だけ、画像形成装置の後方に設置するための空間が必要となり、小型化の障害になっていた。これに対して、実施例１では、ＦＦＣ３６やケーブル３２がスキャナ本体Ｕ１ｂの上面と原稿搬送装置Ｕ１ａの下面との間に配置されており、全体としてスキャナ部Ｕ１が小型化される。特に、卓上型の画像形成装置に適用する場合には、全体の小型化に寄与する。
【００４５】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ04）を下記に例示する。
（Ｈ01）前記実施例において、画像形成装置の一例としての複写機Ｕを例示したが、これに限定されず、ＦＡＸ、あるいは、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。また、前記実施例において、画像読取り装置の一例としてスキャナ部Ｕ１を例示し、複写機Ｕに備えられた構成を例示したが、これに限定されず、本願発明は、スキャナ単体の構成にも適用可能である。
【００４６】
（Ｈ02）前記実施例において、スリット３４ｄの位置は、左右方向の中央よりもずれた位置に形成することが好ましいが、これに限定されない。例えば、中央部に形成することも可能である。また、スリット３４ｄを形成せず、上下方向からＦＦＣ３６を通す構成とすることも不可能ではない。
（Ｈ03）前記実施例において、ＦＦＣホルダ３４の下部３４ｅを後方に膨らませた構成とすることが望ましいが、これに限定されない。ＦＦＣ３６に十分なたるみを持たせた場合やＦＦＣ３６の強度が強い場合には、下部３４ｅを膨らませない構成とすることも可能である。
【００４７】
（Ｈ04）前記実施例において、辞書等の厚い原稿に対応して、原稿搬送装置Ｕ１ａが昇降可能にすることが望ましいが、昇降不能な構成とすることも可能である。
【符号の説明】
【００４８】
２６…読取り部材、
３１…回転軸、
３４…保護部材、
３４ａ…保護部材の空間、
３４ｄ…溝部、
３６…接続部材、
３６ａ…導入部
Ｇｉ…原稿、
ＧＳ…処理部、
ＰＧ…支持台、
Ｓ…媒体、
Ｕ…画像形成装置、
Ｕ１…画像読取り装置、
Ｕ１ａ…開閉部材、
Ｕ１ｂ…筐体、
Ｕｙ〜Ｕｋ＋Ｔ１＋Ｔ２＋Ｂ…画像の記録部。
【図１】
0006554885.tif 000002
【図２】
0006554885.tif 000003
【図３】
0006554885.tif 000004
【図４】
0006554885.tif 000005
【図５】
0006554885.tif 000006
【図６】
0006554885.tif 000007
【図７】
0006554885.tif 000008
【図８】
0006554885.tif 000009